(57)【要約】【課題】冷蔵室用冷却器からの冷気をダクトを通して野菜室へ供給する構成でありながら、野菜室内の湿度を十分高く保持する。【解決手段】本発明の冷蔵庫は、冷蔵室用冷却器１４と冷凍室用冷却器２６とを備えたものにおいて、冷蔵室５と、この冷蔵室５の下方に配設された冷凍室７、８と、この冷凍室７、８の下方に配設された野菜室１０と、冷蔵室用冷却器１４から冷気を冷蔵室５内へ送る第１送風ダクト１６、１７と、冷蔵室用冷却器１４から冷気を野菜室１０内へ送る第２送風ダクト１９と、この第２送風ダクトを開閉するダンパー２０とを備え、更に、冷蔵室用冷却器１４が冷却運転されているときには、ダンパー２０を閉塞させるように構成したものである。【選択図】図１
2007170778.tif 000002
【特許請求の範囲】
【請求項１】
冷蔵室用冷却器と冷凍室用冷却器とを備えた冷蔵庫において、
冷蔵室と、
前記冷蔵室の下方に配設された冷凍室と、
前記冷凍室の下方に配設された野菜室と、
前記冷蔵室用冷却器から冷気を前記冷蔵室内へ送る第１送風ダクトと、
前記冷蔵室用冷却器から冷気を前記野菜室内へ送る第２送風ダクトと、
前記野菜室内から冷気を前記冷蔵室用冷却器へ戻すリターンダクトと、
前記第２送風ダクトを開閉するダンパーとを備え、
前記冷蔵室用冷却器が冷却運転されているときには、前記ダンパーを閉塞させるように構成したことを特徴とする冷蔵庫。
【請求項２】
前記ダンパーをガスダンパーで構成すると共に、
前記ガスダンパーの感熱部を前記冷蔵室用冷却器の吹き出し冷気温度を感知可能なように配設したことを特徴とする請求項１記載の冷蔵庫。
【請求項３】
冷蔵室用冷却器と冷凍室用冷却器とを備えた冷蔵庫において、
冷蔵室と、
前記冷蔵室の下方に配設された冷凍室と、
前記冷凍室の下方に配設された野菜室と、
前記冷蔵室用冷却器から冷気を前記冷蔵室内へ送る第１送風ダクトと、
前記冷蔵室用冷却器から冷気を前記野菜室内へ送る第２送風ダクトと、
前記野菜室内から冷気を前記冷蔵室用冷却器へ戻すリターンダクトと、
前記リターンダクトを開閉するダンパーとを備え、
前記冷蔵室用冷却器が冷却運転されているときには、前記ダンパーを閉塞させるように構成したことを特徴とする冷蔵庫。
【請求項４】
前記ダンパーをガスダンパーで構成すると共に、
前記ガスダンパーの感熱部を前記冷蔵室用冷却器の吹き出し冷気温度を感知可能なように配設したことを特徴とする請求項３記載の冷蔵庫。
【発明の詳細な説明】
【技術分野】
【０００１】
本発明は、冷蔵室用冷却器と冷凍室用冷却器とを備えた２エバ方式の冷蔵庫であって、野菜室内の湿度を高くするように改良した冷蔵庫に関する。
【背景技術】
【０００２】
従来より、冷蔵庫の本体内において、野菜室は、冷蔵室の直下方に設けられており、両者の間は比較的薄い仕切板で仕切られている。そして、野菜室の内部は、冷蔵室内の冷気により仕切板を介して間接的に冷却されていると共に、仕切板に形成された通気孔を介して冷気が野菜室に入ることにより冷却されている（特許文献１参照）。
【０００３】
これに対して、冷蔵室と野菜室の間に、製氷室や仕様切替室等の冷凍室を配設する構成が考えられている。この構成の場合、野菜室を冷却するために、冷蔵室用冷却器から冷気を冷蔵室内へ送る第１送風ダクトと、冷蔵室用冷却器から冷気を野菜室内へ送る第２送風ダクトと、野菜室内から冷気を冷蔵室用冷却器へ戻すリターンダクトとを設けている。この構成においては、冷蔵室用冷却器からの冷気が第２送風ダクトを経由して野菜室へ供給されることで、野菜室内を冷却している。
【０００４】
一方、野菜室の上下に冷凍室を配置したり、背面に冷却器を設けている形態では、輻射熱により野菜室を冷却できる場合もあるため、野菜室に冷気を流さない構成も考えられる（特許文献２参照）。
【特許文献１】特開２００４−１１６８８６号公報
【特許文献２】特開２０００−３２０９４３号公報
【発明の開示】
【発明が解決しようとする課題】
【０００５】
野菜室に冷気を流さない構成の場合には、野菜室内の湿気を逃がす場所がないため、野菜室内で露付きが発生するという問題点がある。
一方、冷蔵室用冷却器からの冷気を第２送風ダクトを経由して野菜室へ供給する構成の場合には、冷蔵室用冷却器が冷却運転されているときに、野菜室内の湿度が２０〜４０％程度にまで低下してしまい、野菜の貯蔵に適さないという問題点がある。
【０００６】
そこで、本発明の目的は、冷蔵室用冷却器からの冷気をダクトを通して野菜室へ供給する構成でありながら、野菜室内の湿度を十分高く保持することができる冷蔵庫を提供するにある。
【課題を解決するための手段】
【０００７】
上記の目的を達成するために、本発明の冷蔵庫は、冷蔵室用冷却器と冷凍室用冷却器とを備えたものにおいて、冷蔵室と、前記冷蔵室の下方に配設された冷凍室と、前記冷凍室の下方に配設された野菜室と、前記冷蔵室用冷却器から冷気を前記冷蔵室内へ送る第１送風ダクトと、前記冷蔵室用冷却器から冷気を前記野菜室内へ送る第２送風ダクトと、前記野菜室内から冷気を前記冷蔵室用冷却器へ戻すリターンダクトと、前記第２送風ダクトを開閉するダンパーとを備え、更に、前記冷蔵室用冷却器が冷却運転されているときには、前記ダンパーを閉塞させるように構成したところに特徴を有する。
【０００８】
上記構成の場合、冷蔵室用冷却器が冷却運転されているときには、第２送風ダクトを開閉するダンパーを閉塞させるように構成したので、冷気が野菜室内へ送風されなくなる。これにより、冷蔵室用冷却器が冷却運転中であっても、野菜室内の湿度が低下しなくなり、高湿度に保つことができる。
【発明の効果】
【０００９】
本発明によれば、冷蔵室用冷却器からの冷気を第２送風ダクトを通して野菜室へ供給する構成において、冷蔵室用冷却器が冷却運転されているときに、第２送風ダクトを開閉するダンパーを閉塞させるように構成したから、冷気が野菜室内へ送風されなくなり、野菜室内の湿度を十分高く保持することができる。
【発明を実施するための最良の形態】
【００１０】
以下、本発明の一実施例について、図面を参照しながら説明する。まず、図１は、本実施例に係る冷蔵庫の概略的縦断側面図を示すものである。この図１において、冷蔵庫本体１は、鋼板製の外箱２とプラスチック製の内箱３との間に発泡断熱材４を充填して矩形状の断熱箱体として構成されている。
【００１１】
冷蔵庫本体１の内部には、上部に冷蔵室５が配設され、この冷蔵室５の下方に断熱仕切壁６を介して切替室７及び製氷室８（図２参照）が配設され、その下方に断熱仕切壁９を介して野菜室１０が配設され、その下方に断熱仕切壁１１を介して冷凍室１２が配設されている。切替室７と製氷室８とは左右に並んでいて、その間は断熱仕切壁により仕切られている。切替室７は、冷蔵温度帯から冷凍温度帯の間で設定温度を切り替えることが可能な構成となっている。この構成の場合、切替室７と製氷室８が冷凍室を構成している。
【００１２】
冷蔵庫本体１の前面には、各室５、７、８、１０、１２の前面開口部を開閉する扉５ａ、７ａ、１０ａ、１２ａが設けられている（製氷室８の扉は図示されていない）。
上記冷蔵室７の奥部には、ダクトカバー１３が設けられている。このダクトカバー１３の裏側には、冷蔵室用冷却器１４（図２参照）が配設されていると共に、この冷蔵室用冷却器１４の上方に位置させて冷気循環用の冷蔵用送風機１５が配設され、更に、冷蔵室用冷却器１４の両側に吹き出しダクト１６、１７（図２参照）が形成されている。これら吹き出しダクト１６、１７が、第１送風ダクトを構成している。ダクトカバー１３における吹き出しダクト１６、１７に対応する部位には、複数の冷気吹出口１８が形成されている。
【００１３】
また、冷蔵庫本体１内の切替室７の背面部には、冷気送風ダクト（第２送風ダクト）１９が設けられており、この冷気送風ダクト１９の上端部は、上記吹き出しダクト１７の下端部に連通するように接続されている。この接続部、即ち、冷気送風ダクト１９の上端部に、冷気送風ダクト１９を開閉するガスダンパー２０が配設されている。このガスダンパー２０及びその周辺の具体的構成については、後述する。冷気送風ダクト１９の下端部には、冷気吹出口２１が設けられており、この冷気吹出口２１は野菜室１０内に開口している。なお、冷気送風ダクト１９は、冷蔵室のリターンダクトであってもよく、直接、冷蔵室用冷却器１４から冷気を送風する形態であってもよい。
【００１４】
切替室７及び野菜室１０の背面部には、冷気送風ダクト１９に並ぶようにリターンダクト２２が設けられており、このリターンダクト２２の上端部は、上記冷蔵室用冷却器１４の吸い込み側に連通するように配設されている。リターンダクト２２の下端部には、野菜室１０内に開口する吸い込み口２３が設けられている。また、リターンダクト２２の上端部には、冷蔵室５内に開口する吸い込み口２４が設けられている。
【００１５】
また、図３に示すように、野菜室１０、切替室７及び製氷室８の奥部には、冷凍室用冷却器室２５が形成されており、この冷凍用冷却器室２５内に、冷凍室用冷却器２６が配設されていると共に、この冷凍用冷却器２７の上方に位置させて冷気循環用の冷凍用送風機２７が配設されている。冷凍室用冷却器２６から冷凍用送風機２７により送風された冷気は、切替室吹出口２８を介して切替室７内へ供給されると共に、製氷室吹出口２９を介して製氷室８内へ供給され、また、冷凍室吹出ダクト３０、３１及び冷凍室吹出口３２、３３を介して冷凍室１２内へ供給されるように構成されている。尚、切替室７、製氷室８、冷凍室１２内には、吸い込み口３４、３５、３６、３７が設けられており、これら吸い込み口３４、３５、３６、３７から吸い込まれた冷気は、冷凍室用冷却器２６の吸引側へ戻されるようになっている。
【００１６】
また、図１に示すように、冷蔵庫本体１の下部の後部には機械室３８が形成されていて、この機械室３８内に冷凍サイクルのコンプレッサ３９や機械室用送風機４０等が配設されている。
【００１７】
ここで、上記ガスダンパー２０周辺の具体的構造について、図４も参照して説明する。図４に示すように、ガスダンパー２０は、ダンパー取付絶縁部材４１に取り付けられており、このダンパー取付絶縁部材４１の通気口４２に吹き出しダクト１７の下端開口部が連通するように接続されている。ダンパー取付絶縁部材４１には、溝状凹部４３が形成されており、この溝状凹部４３に冷気送風ダクト１９の上端部を連通接続させている。そして、ダンパー取付絶縁部材４１及びガスダンパー２０は、ダンパーカバー絶縁部材４４で覆われている。この構成の場合、ガスダンパー２０が開放されると、冷蔵室用冷却器１４からの冷気は、吹き出しダクト１７、ガスダンパー２０及び冷気送風ダクト１９を通って野菜室１０内へ供給される。
【００１８】
また、ガスダンパー２０の感熱部４５は、吹き出しダクト１７の冷気吹出口１８（図２参照）近傍に取り付けられており、冷蔵室用冷却器１４の吹き出し冷気温度を検出可能なようになっている。この構成の場合、冷蔵室用冷却器１４が冷却運転されているとき（即ち、吹き出し冷気温度が設定温度よりも低いとき）には、ガスダンパー２０が閉塞し、冷蔵室用冷却器１４が冷却運転されていないとき（即ち、吹き出し冷気温度が設定温度よりも低くないとき）には、ガスダンパー２０が開放するように構成されている。
【００１９】
次に、上記構成の作用、特には、冷蔵室用冷却器１４の運転動作に伴って、野菜室１０内の湿度と、冷蔵室５内の湿度とがどのように変化するかを、図５を参照して説明する。
図５に示すように、時刻ｔ１から時刻ｔ２までの間、時刻ｔ３から時刻ｔ４までの間、冷蔵室用冷却器１４が運転するとする。そして、時刻ｔ１までと、時刻ｔ２から時刻ｔ３までの間、時刻ｔ４以降、冷蔵室用冷却器１４が停止するとする。すると、冷蔵室５内の湿度は、曲線Ｐで示すように変化する。即ち、冷蔵室用冷却器１４が運転すると、乾燥した冷気が循環するため、冷蔵室５内の湿度は、急激に低下する。冷蔵室用冷却器１４が停止し、冷蔵用送風機１５だけを運転すると、湿度の高い冷気が循環するため、冷蔵室５内の湿度は高くなる。
【００２０】
これに対して、冷蔵室用冷却器１４が運転されているときには、冷気送風ダクト１９を開閉するガスダンパー２０が閉塞するように構成したので、野菜室１０内には乾燥した冷気が供給されなくなる。このため、野菜室１０内の湿度は、図５中の曲線Ｑで示すように変化し、高湿度（ほぼ８０％以上）に保持される。
【００２１】
尚、ガスダンパー２０を設けない構成（ガスダンパー２０を開放させたままにした構成）の場合には、野菜室１０内の湿度は、図５中の曲線Ｒで示すように変化する。即ち、冷蔵室用冷却器１４が運転すると、乾燥した冷気が循環するため、野菜室１０内の湿度は、冷蔵室５内の湿度とほぼ同様にして、急激に低下する。従って、野菜室１０内の湿度は、平均すると、かなり低くなってしまうという問題点がある。
【００２２】
このような構成の本実施例によれば、冷蔵室用冷却器１４から冷気を冷蔵室５内へ送る吹き出しダクト１７と、冷蔵室用冷却器１４から冷気を野菜室１０内へ送る冷気送風ダクト１９と、この冷気送風ダクト１９を開閉するガスダンパー２０とを備え、冷蔵室用冷却器１４が冷却運転されているときには、ガスダンパー２０を閉塞させるように構成したので、冷蔵室用冷却器１４からの冷気を冷気送風ダクト１９を通して野菜室１０へ供給する構成でありながら、野菜室１０内の湿度を十分高く保持することができる。
【００２３】
また、上記実施例においては、冷気送風ダクト１９を開閉するダンパーをガスダンパー２０で構成すると共に、ガスダンパー２０の感熱部３９を冷蔵室用冷却器１４の吹き出し冷気温度を感知可能なように配設したので、冷蔵室用冷却器１４が冷却運転されているときに、ガスダンパー２０を閉塞させるための具体的構成を簡単な構成にて容易に実現することができる。
【００２４】
尚、上記実施例では、ガスダンパー２０により冷気送風ダクト１９を開閉するように構成したが、これに限られるものではなく、野菜室１０内から冷気を冷蔵室用冷却器１４へ戻すリターンダクト２２を開閉するダンパーを設け、このダンパーを、冷蔵室用冷却器１４が冷却運転されているときに、閉塞させるように構成しても良い。そして、この構成の場合、ダンパーをガスダンパーで構成すると共に、ガスダンパーの感熱部を冷蔵室用冷却器１４の吹き出し冷気温度を感知可能なように配設することが好ましい。また、上記実施例では、ダンパーをガスダンパーによる形態について説明したが、ダンパーは、モータやソレノイド等を駆動源とした様々なダンパーを用いても良く、ダクト内を開閉できれば良い。
【図面の簡単な説明】
【００２５】
【図１】本発明の一実施例を示す冷蔵庫の縦断側面図
【図２】冷蔵室と野菜室への冷気の流れを説明する冷蔵庫の正面図
【図３】切替室、製氷室、冷凍室への冷気の流れを説明する冷蔵庫の正面図
【図４】ガスダンパー周辺の分解斜視図
【図５】冷蔵室用冷却器の運転動作と、冷蔵室の湿度と、野菜室の湿度との関係を示す図
【符号の説明】
【００２６】
図面中、１は冷蔵庫本体、５は冷蔵室、６は断熱仕切壁、７は切替室、８は製氷室、９は断熱仕切壁、１０は野菜室、１１は断熱仕切壁、１２は冷凍室、１４は冷蔵室用冷却器、１５は冷蔵用送風機、１６、１７は吹き出しダクト（第１送風ダクト）、１８は冷気吹出口、１９は冷気送風ダクト（第２送風ダクト）、２０はガスダンパー、２１は冷気吹出口、２２はリターンダクト、２３は吸い込み口、２４は吸い込み口、２５は冷凍用冷却器室、２６は冷凍室用冷却器、２７は冷凍用送風機、３８は機械室、４１はダンパー取付絶縁部材、４４はダンパーカバー絶縁部材、４５は感熱部を示す。
【図１】
2007170778.tif 000003
【図２】
2007170778.tif 000004
【図３】
2007170778.tif 000005
【図４】
2007170778.tif 000006
【図５】
2007170778.tif 000007